(57)【要約】      （修正有） 【課題】撮影用レンズを有するカメラ前面と、カメラ後面と、カメラ上面とを覆うことができ、かつ簡単な操作でこれらの面を露出させることで、撮影可能な状態にすることのできるカメラケースの提供。【解決手段】撮影用レンズ６０を有するカメラ前面２ａとカメラ後面２ｂとを覆う収納位置と、カメラ前面２ａとカメラ後面２ｂとを露出させる露出位置との間で回動自在に設けられるカバー１を、カメラ２を固定する基部１０に設け、カバー１は前蓋部材４と後蓋部材６を備える。【選択図】図２
2005208218.tif 000002
【特許請求の範囲】
【請求項１】
撮影用レンズを有するカメラ前面とカメラ後面とを覆う収納位置と、前記カメラ前面と前記カメラ後面とを露出させる露出位置との間で移動自在に設けられるとともに、前記カメラ前面を覆う前蓋部材と、前記カメラ後面を覆う後蓋部材と、カメラ上面を覆う上蓋部材とを一体形成したカバー部材を、カメラ下面を不動状態で覆う基部となる固定部材の前後面の端部を回動支点として回動自在に設けたことを特徴とするカメラケース。
【請求項２】
前記カメラ前面と前記カメラ後面に対向する前記前蓋部材と前記後蓋部材の各面に、衝撃緩衝層を設けたことを特徴とする請求項１に記載のカメラケース。
【請求項３】
前記カバー部材は、前記露出位置に回動されるとシャッター操作を可能にする把持部を形成することを特徴とする請求項１または２に記載のカメラケース。
【請求項４】
前記カバー部材は、前記基部の前記回動支点に対して着脱自在に設けられる回動係止部を設けたことを特徴とする請求項１乃至３のいずれか１項に記載のカメラケース。
【請求項５】
前記固定部材は、前記基部において回動自在に設けられるとともに、前記カメラ下面の固定用ねじ穴に対して螺合される固定用ねじであることを特徴とする請求項１乃至４のいずれか１項に記載のカメラケース。
【発明の詳細な説明】
【技術分野】
【０００１】
本発明は、カメラを保護するためのカメラケースに関するものである。
【背景技術】
【０００２】
使用するために常に持ち運ばれるカメラを大切に扱うためには、カメラケース内にカメラを収納し、使用するときのみカメラケースからカメラを取り出し、使用の後に再びカメラケースに収納すると良いことが知られている。
【０００３】
レザー製などのソフトカメラケースの場合には、カメラ本体側のカメラ下面の固定用ねじ穴に対して螺合される固定用ねじを用いてファインダー覗き穴を設けた本体ケースでカメラ本体側を覆う状態にしておき、撮影用レンズを有するカメラ前面を覆うためのレンズケース部分のみを外すようにして、撮影時に使用者がカメラ全体を取り出す面倒な作業を解消して使用上の便利を図っている。
【０００４】
一方、両目を開けたままでも正確な撮影を可能とし、手振れや指の写りこみが発生せず、レンズを保護できる多目的カバー付きカメラも提案されている。（特許文献１）
また、撮影レンズを保護する部材を設け、この部材を移動させることにより撮影レンズをカメラ本体内に沈胴させて収納し、バッグなどに入れるときに嵩張らずかつレンズを保護することのできるレンズ付きフィルムカメラも提案されている。（特許文献２）
さらに、即写性を高めるため、取りつけと取り外しに手間のかかる従来のカメラケースに代えて、撮影用レンズを覆う蓋部材のみを開閉自在に設けたカメラも提案されている。（特許文献３）
【特許文献１】特許第３２８９１８２号。
【特許文献２】特開平１１−０８４４６７号公報。
【特許文献３】特開平０８−０９５１５５号公報。
【発明の開示】
【発明が解決しようとする課題】
【０００５】
しかしながら、上記の特許文献１によれば撮影レンズを保護するカバーはカメラに内蔵される構成であるので、市販のカメラに後付けされて使用される汎用のカメラケースとは異なる。さらに、上記の特許文献２によれば撮影レンズを保護する部材を移動させることで撮影レンズが自動的にカメラ本体内に沈胴されて収納できる構成であり、市販のカメラに後付けされて使用される汎用のカメラケースとは異なる。
【０００６】
また、特許文献３は、撮影用レンズを覆う蓋部材のみを開閉自在に設けるために、蓋部材をカメラに対して簡単に着脱できるようにしたものであり、カメラの撮影用レンズは大切に保護することができるものである。
【０００７】
一方、近年のカメラは銀塩フィルムカメラからデジタルカメラに移行している。このデジタルカメラによれば撮影用レンズを有するカメラ前面と、例えば液晶表示部を配置したカメラ後面と、シャッターを配置したカメラ上面とを露出できれば撮影を行うことができる。また、銀塩フィルムカメラも同様にカメラ前面と、ファインダーを備えたカメラ後面と、シャッターを配置したカメラ上面を露出できれば撮影を行うことができる。
【０００８】
したがって、本発明は上記の事情に鑑みて成されたものであり、撮影用レンズを有するカメラ前面と、カメラ後面と、カメラ上面とを覆うことができ、かつ簡単な操作でこれらの面を露出させることで、撮影可能な状態にすることのできるカメラケースの提供を目的としている。
【課題を解決するための手段】
【０００９】
上述した課題を解決し、目的を達成するために、本発明によれば、撮影用レンズを有するカメラ前面とカメラ後面とを覆う収納位置と、前記カメラ前面と前記カメラ後面とを露出させる露出位置との間で移動自在に設けられるとともに、前記カメラ前面を覆う前蓋部材と、前記カメラ後面を覆う後蓋部材と、カメラ上面を覆う上蓋部材とを一体形成したカバー部材を、カメラ下面を不動状態で覆う基部となる固定部材の前後面の端部を回動支点として回動自在に設けたことを特徴としている。
【００１０】
また、前記カメラ前面と前記カメラ後面に対向する前記前蓋部材と前記後蓋部材の各面に、衝撃緩衝層を設けたことを特徴としている。
【００１１】
また、前記カバー部材は、前記露出位置に回動されるとシャッター操作を可能にする把持部を形成することを特徴としている。
【００１２】
また、前記カバー部材は、前記基部の前記回動軸に対して着脱自在に設けられる回動係止部を設けたことを特徴としている。
【００１３】
そして、前記固定部材は、前記基部で回動自在に設けられるとともに、前記カメラ下面の固定用ねじ穴に対して螺合される固定用ねじであることを特徴としている。
【発明の効果】
【００１４】
本発明によれば、撮影用レンズを有するカメラ前面と、カメラ後面と、カメラ上面とを覆うことができ、かつ簡単な操作でこれらの面を露出させることで、撮影可能な状態にすることのできるカメラケースを提供できる。
【発明を実施するための最良の形態】
【００１５】
以下に本発明の好適な一実施形態について、添付図面を参照して説明する。
【００１６】
ここで、以下の実施形態ではカメラとして撮影用レンズを有するカメラ前面と液晶表示部を配置したカメラ後面と、シャッターを配置したカメラ上面とを備えており、望ましくは撮影レンズが３倍光学ズームの場合には沈胴するタイプ、または固定焦点レンズを備えた小型偏平の箱型のデジタルカメラに使用されるカメラケースについて主に述べるが、これに限定されず銀塩フィルムカメラにも適用可能である。
【００１７】
また、小型偏平かつ軽量の機種において、上記の特許文献２に提案されるように撮影レンズを保護する部材を移動させることで撮影レンズが自動的にカメラ本体内に沈胴されて収納できる構成のカメラに特に良好に使用できる。
【００１８】
先ず、図１(ａ)はデジタルカメラ２をカメラ前面側から見た外観斜視図、(ｂ)はデジタルカメラ２をカメラ後面側から見た外観斜視図である。
【００１９】
本図において、このデジタルカメラ２は沈胴式または固定焦点の撮影用レンズ６０を有するカメラ前面２ａと、この裏面側において液晶表示部４０を備えたカメラ後面２ｂと、シャッター５０を設けたカメラ上面２ｃとカメラ左面２ｅとカメラ右面２ｆとを設けた偏平箱状に形成されており、胸ポケットなどに入れた状態で収納できるようにして携帯性を良好にしている。また、デジタルカメラ２はカメラ下面２ｄにおいて三脚などに固定される固定用ねじ穴２ｋを設けている。
【００２０】
図２(ａ)は、カメラケース１にデジタルカメラ２を固定した後の様子を示した正面図、(ｂ)はカメラケース１を撮影可能な状態にした正面図である。
【００２１】
本図において、このカメラケース１は、所謂セミハードケースまたはハードケースであり、所定樹脂材料から射出成型される基部１０にカバー部材を左隅の端部で回動自在に組付けることで完成され、図２(ａ)に図示のように、カメラの前後面と上面を覆う状態で収納する状態ではデジタルカメラ２の前後面と上面とが保護されることになり、この状態で安全に持ち運びできるものである。このときカメラ左右面２ｅ、２ｆは覆われない。
【００２２】
その後、撮影を行うためには、図２(ｂ)に図示の位置にカメラケース１を回動する操作を行うことで、撮影用レンズ６０を設けたカメラ前面２ａと液晶表示部４０を配置したカメラ後面２ｂと、シャッター５０を配置したカメラ上面２ｃとが露出される状態となり、即座に撮影を行うことができる。また、撮影後には図２(ａ)に図示の状態に戻す。
【００２３】
図３(ａ)は、図２(ａ)の右側面図であり、図３(ｂ)はカバーを取り外した状態を示した右側面図である。
【００２４】
図２に図３をさらに参照してカメラ下面２ｄを不動状態で覆う基部１０が所定樹脂材料を用いて準備される。この基部１０の略中央は外見上のデザインを意識して凹状の曲面を形成しており、この中央に固定用ねじ３を回動自在に設けている。この固定用ねじ３をカメラ下面２ｄの固定用ねじ穴２ｋに対して螺合することでカメラ２を基部１０に固定するようにしている。また、この固定用ねじ３に代えてマジックファスナー（登録商標）、両面粘着テープ、固定用バンド類を固定部材として用いても良い。
【００２５】
この基部１０の前後面の端部には、基部１０の回動軸７、８において回動自在に支持されるカバー部材が設けられる。このカバー部材は前蓋部材４と後蓋部材６とカメラ上面２ｃを覆う上蓋部材５とが一体的に設けられており、前蓋部材４はカメラ前面２ａにまた後蓋部材６はカメラ後面６に対して平行に回動移動できるように設けられている。
【００２６】
図２(ｂ)において、前蓋部材４と後蓋部材６は図示のように露出位置に回動されるとシャッター５０の操作を可能にする把持部を形成することもできる。このために前蓋部材４と後蓋部材６と上蓋部材５は充分な強度を備えることが望ましく、この場合には操作性がより向上することとなる。
【００２７】
また、カメラ前面２ａとカメラ後面２ｂに対向する前蓋部材４と後蓋部材６はカメラ面からそれぞれ離隔しているので落下時などにおいて衝撃力が直接カメラ面に伝わらないようにしている。
【００２８】
一方、図３(ａ)において撮影用レンズ６０は沈胴しておりカメラ前面２ａと面一状態になっている場合には、カメラ前面２ａとカメラ後面２ｂに対向する前蓋部材４と後蓋部材６の各面に設けられたスポンジ内蔵の布製の衝撃緩衝層１１、１１により外部衝撃から各カメラ面が保護される。この場合には、前蓋部材４と後蓋部材６は台紙入り合成レザー製として縁部をミシン目で縫合したセミハードケースとして構成することができる。
【００２９】
図３(ｂ)において、回動軸７、８は例えば雌雄の衣料用ホックを用いた回動係止部としており、前蓋部材４と後蓋部材６を広げることで簡単に取り外すことができる。この場合にはさらに操作性が向上するので、例えば自動シャッターを機能させて自分自身を撮影する場合には、デジタルカメラ２を基部１０から取り外すことなく床面またはテーブル面に置くことができる。そして、撮影終了後には、図２(ａ)に図示の状態にして、携帯可能な状態に戻す。
【００３０】
以上のように、デジタルカメラ２をカメラケース１内に簡単に収納することができ、かつ撮影用レンズ６０を有するカメラ前面２ａと、カメラ後面２ｂと、カメラ上面２ｃを簡単にワンタッチで露出させることができるようになる。
【００３１】
ここで、カメラケース１は、上記の所定樹脂材料から射出成型された基部と上記の合成レザー製などを使用することが安定した品質と低コストを実現する上で有利となるが、この種の樹脂材料に限定されず高級品としてチタン、アルミなどの金属類を使用できる。また、強度が確保できれば紙または木製でも良く、さらに内部が見えるように透明乃至光透過性材料から作っても良い。
【図面の簡単な説明】
【００３２】
【図１】(ａ)はデジタルカメラ２をカメラ前面側から見た外観斜視図、(ｂ)はデジタルカメラ２をカメラ後面側から見た外観斜視図である。
【図２】(ａ)は、カメラケース１にデジタルカメラ２を固定した後の様子を示した正面図、(ｂ)はカメラケース１を撮影可能な状態にした正面図である。
【図３】(ａ)は図２(ａ)の右側面図であり、(ｂ)はカバーを取り外した状態を示した右側面図である。
【符号の説明】
【００３３】
１  カメラケース
２  デジタルカメラ
３  固定用ねじ
４  前蓋部材
５  上蓋部材
６  後蓋部材
１０  基部
４０  液晶表示部
６０  撮影レンズ
【図１】
2005208218.tif 000003
【図２】
2005208218.tif 000004
【図３】
2005208218.tif 000005